(57)【特許請求の範囲】
【請求項１】
裏面に粘着剤と該粘着剤を被覆した剥離紙とを有する封筒下紙と、前記封筒下紙上に重合された封筒上紙とが三周辺で接着されて、他の１辺に開口部が形成され、更に前記封筒上紙と前記封筒下紙との間に所定枚数の伝票が前記開口部から抜き取り可能に設けられた封筒型伝票であって、
前記封筒下紙が前記封筒上紙よりも前記開口部端側において大なる寸法を有し、前記封筒下紙の前記封筒上紙と重合されていない部分に前記開口部端辺と平行に折り畳み用ミシンが形成され、また前記剥離紙の前記折り畳み用ミシンと重なる位置にスリットが形成され、前記封筒上紙の一部が、前記封筒下紙の一部を折り畳み用ミシンから上方側に折り畳んだ際に、折り畳んだ部分の上方に重なる状態になるように設けられ、前記封筒上紙の上位に郵便払込用紙が切り取り可能に接着され、前記封筒下紙に設けられた前記折り畳み用ミシンが所定の間隔をおいて２本形成され、更に前記剥離紙の前記２本の折り畳み用ミシンと重なる位置にスリットが各々形成されていることを特徴とする封筒型伝票。
【発明の詳細な説明】
【０００１】
【発明の属する技術分野】
本発明は、宅配荷物等の配送品に貼付して使用する封筒型伝票に関する。
【０００２】
【従来の技術】
従来、宅配便等に使用する配送伝票として、封筒型伝票が一般的に使用されている。
この封筒型伝票は、例えば、伝票封筒上紙と、裏面に粘着剤層と該粘着剤層を被覆した剥離紙とを有する封筒下紙とが、１辺側に開口部が形成された状態で三周辺で接着され、更に前記封筒上紙と前記封筒下紙との間に所定枚数の伝票が前記開口部から抜き取り可能に設けられた構成を有するものである。
【０００３】
この封筒型伝票は、配送途中において、伝票の紛失を防ぎ、最終的に受取人に配送物を届けた際に、封筒上紙と封筒下紙の間に抜き取り可能に設けられた受取確認用伝票を抜き取った後、これに受取人から受領印の捺印をもらうことで確実な配送処理が行なえるようにしてあるものである。
【０００４】
しかしながら、封筒型伝票は、１辺において開口されているため、配送途中において配送物に貼付された封筒型伝票の開口部から雨等の水滴が入り込んで伝票を汚損したり、または封筒型伝票の開口部に指などを引っかけるなどして封筒上紙を破いて破損させる危険性があるなどの問題がある。
【０００５】
また、上記の問題を解消するために、封筒型伝票の開口部側に封緘用の両面テープを設け、開口部をこの両面テープを用いて封緘することも考えられるが、わざわざ封緘用の両面テープを設けるのは、製造工程において複雑となり、コストがかかるという問題がある。
【０００６】
更に、払込用紙の払込証明書など、一旦切り取った伝票の一部を受取人に配送物と共に届ける必要があっても、これらの伝票紙片を封筒型伝票に貼付させて配送させたくても、簡単にこれらを貼付することができず不便であるなどの問題がある。
【０００７】
【発明が解決しようとする課題】
本発明は、１辺側に開口部が形成され、その他の三周辺で接着され、更に前記封筒上紙と前記封筒下紙との間に所定枚数の伝票が前記開口部から抜き取り可能に設けられた１辺開封型の封筒型伝票において、封緘用の両面テープを設けることなく開封部を封緘することができ、製造工程も簡単で、低コストで製造することができる封筒型伝票を提供するものである。
更に、必要に応じて伝票紙片を貼付することが可能な仕様を有する封筒型伝票を提供するものである。
【０００８】
【課題を解決するための手段】
上記の目的を達成するために、本発明の封筒型伝票は、裏面に粘着剤と該粘着剤を被覆した剥離紙とを有する封筒下紙と、前記封筒下紙上に重合された封筒上紙とが三周辺で接着されて、他の１辺に開口部が形成され、更に前記封筒上紙と前記封筒下紙との間に所定枚数の伝票が前記開口部から抜き取り可能に設けられた封筒型伝票であって、前記封筒下紙が前記封筒上紙よりも前記開口部端側において大なる寸法を有し、前記封筒下紙の前記封筒上紙と重合されていない部分に前記開口部端辺と平行に折り畳み用ミシンが形成され、また前記剥離紙の前記折り畳み用ミシンと重なる位置にスリットが形成され、前記封筒上紙の一部が、前記封筒下紙の一部を折り畳み用ミシンから上方側に折り畳んだ際に、折り畳んだ部分の上方に重なる状態になるように設けられ、前記封筒上紙の上位に郵便払込用紙が切り取り可能に接着され、前記封筒下紙に設けられた前記折り畳み用ミシンが所定の間隔をおいて２本形成され、更に前記剥離紙の前記２本の折り畳み用ミシンと重なる位置にスリットが各々形成されていることを特徴とする。
【００１０】
【発明の実施の形態】
以下、本発明の封筒型伝票について、図面に基づき詳細に説明する。
図１は、本発明の第１実施形態に係る封筒型伝票の分解斜視図、図２は、本発明の第１実施形態に係る封筒型伝票の斜視図、図３は、図２のＡ−Ａ線断面図、図４は、本発明の第１実施形態に係る封筒型伝票の使用方法を説明する斜視図、図５は、本発明の第１実施形態に係る封筒型伝票を配送物に貼付した状態を示す断面図、図６は、本発明の第２実施形態に係る封筒型伝票の分解斜視図、図７は、本発明の第２実施形態に係る封筒型伝票の斜視図、図８は、図７のＢ−Ｂ線断面図、図９は、本発明の第２実施形態に係る封筒型伝票の使用方法を説明する斜視図、図１０は、本発明の第２実施形態に係る封筒型伝票を配送物に貼付した状態を示す斜視図である。
【００１１】
本発明の第１実施形態に係る封筒型伝票を図１乃至図５に基づいて説明する。
第１実施形態に係る封筒型伝票１Ａは、合成紙からなり、表面にマット処理加工が施された耐水性を有する矩形状の封筒上紙２と、この封筒上紙２の短辺側において同一寸法を有すると共に、更に封筒上紙２の長辺側において封筒上紙２よりも大なる寸法つまり長辺側において長い寸法を有する封筒下紙３とが三辺縁で接着剤４により接着されている。
また、封筒下紙３の裏面には、粘着剤５が塗布され、更にこの粘着剤５の塗布面には、剥離紙６が剥離可能に貼付されている。
【００１２】
更に、封筒上紙２の上側には、控票７が設けられ、封筒上紙２の一端側で控票７と接着剤１１により接着されている。
この控票７には、封筒上紙２を切り取るための切り取りミシン８が形成されている。
【００１３】
また、封筒上紙２と封筒下紙３との間には、２枚の配送票９，１０が接着剤１２，１３により一端側で綴じ合わされ、各切り取りミシン１４，１５で切り取り可能に設けられている。
２枚の配送票９，１０は、封筒上紙２及び封筒下紙３の短辺側の幅寸法よりも狭い寸法を有し、重合された封筒上紙２と封筒下紙３の三辺縁で接着されて形成された開口部１６から抜き取り可能に設けられている。
但し、開口部１６近辺においては、封筒上紙２と封筒下紙３が接着されていない非接着部を開口部１６側から所定寸法の部分に設けてある。
【００１４】
控票７、封筒上紙２及び２枚の配送票９，１０の表面には、受取人記入欄及び依頼人記入欄などの記載欄１９や、バーコード表示部２０などが設けられ、また、控票７、封筒上紙２及び２枚の配送票９，１０には、最上位の控票７の表面に種々の必要事項を記入または印字すると、下位の各紙片に複写される複写機能を有している。
この複写機能としては、公知のノーカーボン複写、カーボン複写、自己発色複写などを用いることができる。
【００１５】
また、封筒下紙３が、封筒上紙２よりも開口部１６端側において大なる寸法を有している部分において、封筒下紙３の封筒上紙２と重合されていない部分に開口部１６端辺と平行に折り畳み用ミシン１７が形成されている。
また剥離紙６には、封筒下紙３に形成された折り畳み用ミシン１７と重なる位置にスリット１８が形成されている。
そして、図４に示すように、封筒上紙２に形成された折り畳み用ミシン１７から、封筒下紙３の一端部を上方側に折り畳んだ際に、この折り畳んだ部分の上方に、捲り上げた封筒上紙２の一端側が重なる状態となるように、封筒上紙２及び封筒下紙３の寸法が設定されている。
【００１６】
また、封筒下紙３の裏面に塗布された粘着剤５は、封筒下紙３の裏面全面に塗布してもよいが、封筒下紙３に形成された折り畳み用ミシン１７の下側近辺には粘着剤５を塗布しない領域を設けるようにする方が剥離紙６が剥離しやすくなるので好ましい。
【００１７】
次に封筒型伝票１Ａの使用方法について、図４及び図５に基づいて説明する。
封筒型伝票１Ａを使用する際には、控票７上から受取人記入欄及び依頼人記入欄などの記載欄１９に必要事項を記入または印字した後、封筒上紙２の開口部１６側の非接着部の部分を持ち上げた後、封筒下紙３に形成された折り畳み用ミシン１７から封筒下紙３の右端側を上側に折り畳む。
そして、折り畳んだ封筒下紙３に剥離可能に貼付された剥離紙６の内、スリット１８で分離した部分６ａを剥離した後、この剥離した部分の粘着剤５に対して封筒上紙２の一部を重ね合わせて接着させる。
これにより、開口部１６の部分は、折り畳まれた封筒下紙３により密封状態とすることができる。
【００１８】
更に、切り取りミシン８から控票７を切り離し、残りの剥離紙６を全て剥離した後、配送物２１の表面に粘着剤５で貼付させる。
したがって、配送物２１に貼付された封筒型伝票１Ａは、開口部１６を折り畳まれた封筒下紙３の一部分により封緘された状態で配送される。
また、封緘された２枚の配送票９，１０は、必要に応じて折り畳み用ミシン１７から切り取ることで開封状態として、配送票９，１０の右端部を摘まんで引っ張ることで、各々に形成された切り取りミシン１４，１５から切り取ることができる。
【００１９】
次に、本発明の第２実施形態に係る封筒型伝票１Ｂを図６乃至図９に基づいて説明する。
第２実施形態に係る封筒型伝票１Ｂは、本発明の封筒型伝票を家電リサイクル券に適応させた仕様を有するものである。
この封筒型伝票１Ｂは、矩形状の封筒上紙２２と、この封筒上紙２２の短辺側において同一寸法を有すると共に、更に封筒上紙２２の長辺側において封筒上紙２２よりも大なる寸法つまり長辺側において長い寸法を有する封筒下紙２３とが三辺縁で接着剤２４により接着されている。
また、封筒下紙２３の裏面には、粘着剤２５が塗布され、更にこの粘着剤２５の塗布面には、剥離紙２６が剥離可能に貼付されている。
【００２０】
更に、封筒上紙２２の上側には、控票２７と払込用紙２８とが順次重ねられ、接着剤２９，３０で接着されている。
この控票２７と払込用紙２８には、それぞれ切り取りミシン３１，３２が形成されている。
【００２１】
また、封筒上紙２２と封筒下紙２３との間には、３枚の配送票３３，３４，３５が接着剤３６，３７，３８により一端側で綴じ合わされ、各切り取りミシン３９，４０，４１で切り取り可能に設けられている。
３枚の配送票３３，３４，３５は、封筒上紙２２及び封筒下紙２３の短辺側の幅寸法よりも狭い寸法を有し、封筒上紙２２と封筒下紙２３の三辺縁で接着されて形成された開口部３６から抜き取り可能に設けられている。
【００２２】
封筒型伝票１Ｂを構成する各用紙には、記入事項を必要に応じて複写可能とするカーボン複写などの複写機能を有している。
また、封筒下紙２３が、封筒上紙２２よりも開口部３６端側において大なる寸法を有している部分において、封筒下紙２３の封筒上紙２２と重合されていない部分に開口部３６端辺と平行に各々２本の折り畳み用ミシン３７，３８が形成されている。
また剥離紙２６には、封筒下紙２３に形成された折り畳み用ミシン３７，３８と重なる位置にスリット３９，４０が形成されている。
【００２３】
また、封筒下紙２３の裏面に塗布された粘着剤２５は、封筒下紙２３の裏面全面に塗布してもよいが、封筒下紙２３に形成された各々の折り畳み用ミシン３７，３８の下側近辺には粘着剤２５を塗布しない領域を設けるようにする方が剥離紙２６が剥離しやすくなるので好ましい。
【００２４】
次に封筒型伝票１Ｂの使用方法について、図９及び図１０に基づいて説明する。
まず図９に示すように、払込用紙２８及び控票２７上に必要事項の記入を行なった後、まず払込用紙２８を切り取りミシン３２から切り離す。
払込用紙２８は、２本の切り取りミシンにより、払込取扱票２８ａと払込金受領証２８ｂと払込証明書２８ｃとに分離して使用されるものである。
【００２５】
次に、封筒下紙２３に形成された各々の折り畳み用ミシン３７，３８と、剥離紙２６に形成された各々のスリット３９，４０から封筒下紙２３及び剥離紙２６の右側部分を折り畳むと共に、スリット４０から右側の剥離紙２６の一部を剥離させて、封筒下紙２３の裏面に塗布されている粘着剤２５の一部を封筒上紙２２の上面に貼り付ける。
次に、各々のスリット３９，４０の間の部分にある剥離紙２６の一部を剥離させた後に、この剥離部分の粘着剤２５に払込証明書２８ｃを貼付させる。
【００２６】
そして、この状態で図１０に示すように、全ての剥離紙２６を剥離させた後、配送物４２の表面に粘着剤２５により貼付させる。
更に、切り取りミシン３１から控票２７を切り取ることで、図１０に示す状態にした後、配送物４２の配送を行なう。
【００２７】
以上のようにして、配送物４２に貼付された封筒型伝票は、開口部が折り畳まれた一部の封筒下紙により密封状態として配送物４２と共に送ることができるものである。
また、この封緘された封筒型伝票上に払込証明書２８ｃを貼付することもできるので、本発明の封筒型伝票を家電リサイクル券としても有効に活用することもできるものである。
【００２８】
【発明の効果】
以上説明したように、本発明の封筒型伝票は、裏面に粘着剤が塗布された封筒下紙の一部を折り畳んで封筒状態とした開口部を綴じ合わすことができ、したがって封緘用の両面テープを設ける必要がなく開口部を封緘することができるので、配送物に貼付された封筒型伝票の内部に閉じ込まれた伝票を保護することができ、製造工程も簡単で、低コストでこれらの封緘可能な封筒型伝票を製造することができるという効果がある。
更に、裏面に粘着剤が塗布された封筒下紙に折り畳み用ミシンを所定の間隔で２本形成し、この２本の折り畳み用ミシンと重なる位置の剥離紙にスリットを形成することで、払込証明書等の伝票紙片を貼付して配送物と共に送ることができるという効果がある。
【図面の簡単な説明】
【図１】本発明の第１実施形態に係る封筒型伝票の分解斜視図である。
【図２】本発明の第１実施形態に係る封筒型伝票の斜視図である。
【図３】図２のＡ−Ａ線断面図である。
【図４】本発明の第１実施形態に係る封筒型伝票の使用方法を説明する斜視図である。
【図５】本発明の第１実施形態に係る封筒型伝票を配送物に貼付した状態を示す断面図である。
【図６】本発明の第２実施形態に係る封筒型伝票の分解斜視図である。
【図７】本発明の第２実施形態に係る封筒型伝票の斜視図である。
【図８】図７のＢ−Ｂ線断面図である。
【図９】本発明の第２実施形態に係る封筒型伝票の使用方法を説明する斜視図である。
【図１０】本発明の第２実施形態に係る封筒型伝票を配送物に貼付した状態を示す斜視図である。
【符号の説明】
１Ａ  本発明の第１実施形態に係る封筒型伝票
１Ｂ  本発明の第２実施形態に係る封筒型伝票
２，２２  封筒上紙
３，２３  封筒下紙
４，１１，１２，１３，２４，２９，３０，３６，３７，３８  接着剤
５，２５  粘着剤
６，６ａ，２６  剥離紙
７，２７  控票
８，１４，１５，３１，３２，３９，４０，４１  切り取りミシン
９，１０，３３，３４，３５  配送票
１６  開口部
１９  記載欄
２０  バーコード表示部
２８  払込用紙
２８ａ  払込取扱票
２８ｂ  払込金受領証
２８ｃ  払込証明書
【図１】
0004011926.tif 000002
【図２】
0004011926.tif 000003
【図３】
0004011926.tif 000004
【図４】
0004011926.tif 000005
【図５】
0004011926.tif 000006
【図６】
0004011926.tif 000007
【図７】
0004011926.tif 000008
【図８】
0004011926.tif 000009
【図９】
0004011926.tif 000010
【図１０】
0004011926.tif 000011